(57)【要約】【課題】容易に演奏する曲を変更可能なからくり時計およびからくりシステムを提供する。【解決手段】情報提供装置と通信を行う通信Ｉ／Ｆ２１と、からくりデータに応じたからくり動作を行うからくり部２８１と、音データに基づいて発音する発音部２８２と、からくり動作と発音を同期させる設定データ、音データ、からくりデータ、および音データとからくりデータとを関連付ける同期データとを記憶し、少なくとも設定データが書き換え可能な保存メモリ２７と、必要に応じて通信Ｉ／Ｆ２１を介して情報提供装置から音データ、からくりデータ、および同期データの少なくとも１つを受信して保存メモリ２７に記憶させ、設定時刻になるとからくり部２８１にからくり動作を行わせ、設定データに応じて同期するように所定の時間だけ遅らせて発音部２８２に発音させるＣＰＵ２９とを設ける。【選択図】　図５
2004125488.tif 000002
【特許請求の範囲】
【請求項１】
からくりデータに基づいてからくり動作を行うからくり部と、
音データに基づいて発音する発音手段と、
前記からくり部のからくり動作と前記発音手段の発音を同期させる設定データ、前記音データ、および前記からくりデータを記憶し、記憶データのうち少なくとも前記設定データを書き換え可能な記憶手段と、
所定の設定時刻になると前記からくり部に前記からくりデータに応じたからくり動作を行わせ、前記設定データに基づいて前記からくり部のからくり動作と同期するように調節して、前記発音手段に前記音データに応じて発音させる制御手段とを有する
からくり時計。
【請求項２】
前記記憶手段は、複数の前記音データおよび前記からくりデータと、前記音データと前記からくりデータとを関連付ける関連データとを有し、
前記制御手段は、前記設定時刻になると前記からくり部に前記からくりデータに応じたからくり動作を行わせ、前記設定データに基づいて前記からくり部のからくり動作と同期するように調節して、前記発音手段に前記関連データに基づいて前記からくりデータに対応する前記音データに応じて発音させる
請求項１に記載のからくり時計。
【請求項３】
通信ネットワークを介して通信を行う通信手段を有し、
前記制御手段は、前記通信手段を介して前記憶手段に記憶されている前記音データ、前記からくりデータ、前記関連データ、前記設定データのいずれかを変更する要求を受信すると、その要求に応じた変更を行う
請求項２に記載のからくり時計。
【請求項４】
前記制御手段は、前記通信手段を介して、少なくとも前記音データ、前記からくりデータ、または前記関連データ含む情報を提供する情報処理装置から、前記音データ、前記からくりデータ、および前記関連データの少なくとも１つを受信して前記記憶手段に記憶する
請求項２または３に記載のからくり時計。
【請求項５】
前記制御手段は、前記通信手段を介して所定のタイミングで、前記標準時刻情報を提供する情報処理装置に前記標準時刻情報の要求を送信し、前記情報処理装置から当該標準時刻情報を受信すると計時している時刻情報を修正する
請求項３または４に記載のからくり時計。
【請求項６】
前記制御手段は、前記設定時刻の所定の時間前に、前記からくり部のデータをリセット処理する
請求項１〜５のいずれかに記載のからくり時計。
【請求項７】
前記関連データは、前記からくり部および前記発音部を所定の時刻に動作させる設定時刻データを含み、
前記制御手段は、前記関連データに含まれる前記設定時刻データに応じた時刻になると、前記からくり部に所定のからくり動作を行わせ、前記発音手段に所定の発音を行わせる
請求項２〜６のいずれかに記載のからくり時計。
【請求項８】
前記関連データは、曲順を示す曲順データを含み、
前記制御手段は、前記関連データに含まれる曲順データに応じた曲順で、前記からくり部に所定のからくり動作を行わせ、前記発音手段に所定の発音を行わせる
請求項２〜４、６または７のいずれかに記載のからくり時計。
【請求項９】
前記からくり部は、制御信号に応じて駆動し、被打鈴体を実打ちするソレノイド駆動装置を有し、
前記制御手段は、前記からくりデータに基づいて、前記ソレノイド駆動装置に前記制御信号を出力する
請求項１〜８のいずれかに記載のからくり時計。
【請求項１０】
からくり時計と、前記からくり時計にからくり動作に関する情報を提供する情報提供装置とを有するからくりシステムであって、
前記からくり時計は、前記情報提供装置と通信を行う第１の通信手段と、
からくりデータに基づいてからくり動作を行うからくり部と、
音データに基づいて発音する発音手段と、
前記からくり部のからくり動作と前記発音手段の発音を同期させ設定データ、前記音データ、および前記からくりデータを記憶し、記憶データのうち少なくとも前記設定データを書き換え可能な第１の記憶手段と、
前記第１の通信手段を介して前記情報提供装置から、前記音データおよび前記からくりデータの少なくとも１つを受信して前記第１の記憶手段に記憶させ、設定時刻になると前記からくり部に前記からくりデータに応じたからくり動作を行わせ、前記設定データに基づいて前記からくり部のからくり動作と同期するように調節して、前記発音手段に前記音データに応じて発音させる第１の制御手段とを有し、
前記情報提供装置は、前記音データおよび前記からくりデータを記憶する第２の記憶手段と、
前記からくり時計と通信を行う第２の通信手段と、
要求に応じて前記第２の記憶手段に記憶している前記音データおよび前記からくりデータの少なくとも１つを前記第２の通信手段を介して前記からくり時計に送信する第２の制御手段とを有する
からくりシステム。
【請求項１１】
前記記憶手段は、複数の前記音データおよび前記からくりデータと、前記音データと前記からくりデータとを関連付ける関連データとを有し、
前記制御手段は、前記設定時刻になると前記からくり部に前記からくりデータに応じたからくり動作を行わせ、前記設定データに基づいて前記からくり部のからくり動作と同期するように調節して、前記発音手段に前記関連データに基づいて前記からくりデータに対応する前記音データに応じて発音させる
請求項１０に記載のからくりシステム。
【請求項１２】
からくり時計と、前記からくり時計にからくり動作に関する情報を提供する情報提供装置と、端末装置とを有するからくりシステムであって、
前記からくり時計は、前記情報提供装置と通信を行う第１の通信手段と、
からくりデータに基づいてからくり動作を行うからくり部と、
音データに基づいて発音する発音手段と、
前記からくり部のからくり動作と前記発音手段の発音を同期させる設定データと、前記音データ、前記からくりデータ、および前記音データと前記からくりデータとを関連付ける関連データを記憶し、少なくとも前記設定データが書き換え可能な第１の記憶手段と、
前記第１の通信手段を介して前記情報提供装置から、前記音データ、前記からくりデータ、および前記関連データの少なくとも１つを受信して前記第１の記憶手段に記憶させ、設定時刻になると前記からくり部に前記からくりデータに応じたからくり動作を行わせ、前記設定データに基づいて前記からくり部のからくり動作と同期するように調節して、前記発音手段に前記関連データに基づいて前記からくりデータに対応する前記音データに応じて発音させる第１の制御手段とを有し、
前記端末装置は、前記音データ、前記からくりデータ、および前記関連データの少なくとも何れか１つを生成し、前記情報提供装置に出力する生成手段を有し、
前記情報提供装置は、前記音データ、前記からくりデータ、前記関連データを記憶する第２の記憶手段と、
前記からくり時計および前記端末装置と通信を行う第２の通信手段と、
要求に応じて前記第２の記憶手段に記憶している前記音データ、前記からくりデータ、および前記関連データを前記第２の通信手段を介して前記からくり時計に送信する第２の制御手段とを有する
からくりシステム。
【発明の詳細な説明】
【０００１】
【発明の属する技術分野】
本発明は、例えば、からくり部を有するからくり時計、およびからくりシステムに関するものである。
【０００２】
【従来の技術】
従来、所定の時刻になると音楽を演奏すると共に、例えば被打鈴体を実打ちするからくり部を有するからくり時計が知られている（例えば、特許文献１参照。）。
【０００３】
従来のからくり時計では、音データを含むＣＤ（Ｃｏｍｐａｃｔ　ｄｉｓｃ）を演奏する音響制御装置を有しており、所定の時刻になるとＣＤに含まれる音データを再生して所望の音楽を発音させて、同時にＣＤに含まれるからくりデータに基づいてからくり部がからくり動作を行う。
【０００４】
【特許文献１】
特開平６−２８１７５９号公報（第１−５頁、第１図）
【０００５】
【発明が解決しようとする課題】
従来のからくり時計では、からくり部が制御信号が入力されてから実際に実打ちを行い発音する場合に遅延時間があるため、音響制御装置からの発音と正確に同期させてからくり動作を行わせることが重要である。
しかし、上述したからくり時計では、所定の時刻に演奏する曲を変更する毎に、からくり部のからくり動作と音響制御装置の発音とが同期するように煩雑な設定を行う必要がある。このため、容易に演奏する曲を変更できるからくり時計が望まれている。
【０００６】
本発明は、かかる事情に鑑みてなされたものであり、その目的は、容易に演奏する曲を変更可能なからくり時計、およびからくりシステムを提供することにある。
【０００７】
【課題を解決するための手段】
前記目的を達成するために、第１の発明のからくり時計は、からくりデータに基づいてからくり動作を行うからくり部と、音データに基づいて発音する発音手段と、前記からくり部のからくり動作と前記発音手段の発音を同期させる設定データ、前記音データ、および前記からくりデータを記憶し、記憶データのうち少なくとも前記設定データを書き換え可能な記憶手段と、所定の設定時刻になると前記からくり部に前記からくりデータに応じたからくり動作を行わせ、前記設定データに基づいて前記からくり部のからくり動作と同期するように調節して、前記発音手段に前記音データに応じて発音させる制御手段とを有する。
【０００８】
第１の発明のからくり時計において、からくり部では、からくりデータに基づいてからくり動作が行われる。発音手段では、音データに基づいて発音する。
記憶手段では、からくり部のからくり動作と発音手段の発音を同期させる設定データ、音データ、およびからくりデータを記憶し、記憶データのうち少なくとも設定データを書き換え可能である。
制御手段では、所定の設定時刻になるとからくり部にからくりデータに応じたからくり動作を行わせ、設定データに基づいてからくり部のからくり動作と同期するように調節して、発音手段に音データに応じて発音させる。
【０００９】
さらに、前記目的を達成するために、第２の発明のからくりシステムは、からくり時計と、前記からくり時計にからくり動作に関する情報を提供する情報提供装置とを有するからくりシステムであって、前記からくり時計は、前記情報提供装置と通信を行う第１の通信手段と、からくりデータに基づいてからくり動作を行うからくり部と、音データに基づいて発音する発音手段と、前記からくり部のからくり動作と前記発音手段の発音を同期させ設定データ、前記音データ、および前記からくりデータを記憶し、記憶データのうち少なくとも前記設定データを書き換え可能な第１の記憶手段と、前記第１の通信手段を介して前記情報提供装置から、前記音データおよび前記からくりデータの少なくとも１つを受信して前記第１の記憶手段に記憶させ、設定時刻になると前記からくり部に前記からくりデータに応じたからくり動作を行わせ、前記設定データに基づいて前記からくり部のからくり動作と同期するように調節して、前記発音手段に前記音データに応じて発音させる第１の制御手段とを有し、前記情報提供装置は、前記音データおよび前記からくりデータを記憶する第２の記憶手段と、前記からくり時計と通信を行う第２の通信手段と、要求に応じて前記第２の記憶手段に記憶している前記音データおよび前記からくりデータの少なくとも１つを前記第２の通信手段を介して前記からくり時計に送信する第２の制御手段とを有する。
【００１０】
さらに、前記目的を達成するために、第３の発明のからくりシステムは、からくり時計と、前記からくり時計にからくり動作に関する情報を提供する情報提供装置と、端末装置とを有するからくりシステムであって、前記からくり時計は、前記情報提供装置と通信を行う第１の通信手段と、からくりデータに基づいてからくり動作を行うからくり部と、音データに基づいて発音する発音手段と、前記からくり部のからくり動作と前記発音手段の発音を同期させる設定データと、前記音データ、前記からくりデータ、および前記音データと前記からくりデータとを関連付ける関連データを記憶し、少なくとも前記設定データが書き換え可能な第１の記憶手段と、前記第１の通信手段を介して前記情報提供装置から、前記音データ、前記からくりデータ、および前記関連データの少なくとも１つを受信して前記第１の記憶手段に記憶させ、設定時刻になると前記からくり部に前記からくりデータに応じたからくり動作を行わせ、前記設定データに基づいて前記からくり部のからくり動作と同期するように調節して、前記発音手段に前記関連データに基づいて前記からくりデータに対応する前記音データに応じて発音させる第１の制御手段とを有し、前記端末装置は、前記音データ、前記からくりデータ、および前記関連データの少なくとも何れか１つを生成し、前記情報提供装置に出力する生成手段を有し、前記情報提供装置は、前記音データ、前記からくりデータ、前記関連データを記憶する第２の記憶手段と、前記からくり時計および前記端末装置と通信を行う第２の通信手段と、要求に応じて前記第２の記憶手段に記憶している前記音データ、前記からくりデータ、および前記関連データを前記第２の通信手段を介して前記からくり時計に送信する第２の制御手段とを有する。
【００１１】
【発明の実施の形態】
第１の実施の形態
図１は、本発明に係るからくりシステムの第１の実施の形態の全体図である。
本実施の形態に係るからくりシステム１は、図１に示すように、からくり時計２、および情報提供装置３を有する。
【００１２】
からくり時計２は、情報提供装置３と通信ネットワークを４介して接続されている。また、端末装置５が通信ネットワーク４を介して情報提供装置３に接続されている。標準時刻情報提供装置６が通信ネットワーク４を介して情報提供装置３に接続されている。
【００１３】
例えば複数のからくり装置２−１〜ｎが通信ネットワーク４を介して情報提供装置３に接続されており、個々を区別しない場合にはからくり時計２と言う。また、例えば複数の端末装置５−１〜ｍが通信ネットワーク４を介して情報提供装置３に接続されており、個々を区別しない場合には端末装置５という。
【００１４】
情報提供装置
図２は、図１に示したからくりシステムの情報提供装置の機能ブロック図である。
情報提供装置３は、例えば、通信部３１、標準時計３２、入出力部３３、メモリ３４、記憶装置３５、およびＣＰＵ（Ｃｅｎｔｒａｌ　ｐｒｏｃｅｓｓｉｎｇ　ｕｎｉｔ　）３６を有する。
【００１５】
通信部３１は、ＣＰＵ３６の制御のもと、通信ネットワーク４を介してからくり時計２とデータ通信を行う。
標準時計３２は、時刻の計時を行う。ＣＰＵ３６は、例えば所定のタイミングで通信部３１を介して、標準時刻情報提供装置６から提供された標準時刻情報に基づいて標準時計の時刻情報を修正する。標準時計３２は、例えば後述する標準時刻情報提供装置６の構成要素を有していてもよい。
【００１６】
入出力部３３は、例えばディスプレイやキーボード等の入出力装置であり、ＣＰＵ３６により制御されている。入出力部３３は、例えば管理者等が情報提供装置３を管理する際に操作される。
【００１７】
メモリ３４は、例えばＲＡＭやＲＯＭであり、所定のデータ、パラメータ、およびプログラム等が記憶されている。メモリ３４は、ＣＰＵ３６により管理されている。ＣＰＵ３６は、この所定のデータ、パラメータ、およびプログラムに基づいて所定の処理を行う。メモリ３４は、ワークスペースとしても用いられる。
【００１８】
記憶装置３５は、からくり時計２の音データＤ＿Ａ、からくりデータＤ＿Ｋ、同期データＤ＿Ｓ、設定データＤ＿Ｉ等のからくり時計２のからくり動作に関するデータを記憶する。同期データＤ＿Ｓは関連データに相当する。
ＣＰＵ３６は、要求に応じて記憶装置３５に記憶されているデータを読出し、所定のデータを通信部３１に出力させる。また、要求に応じてＣＰＵ３６は、音データＤ＿ＡおよびからくりデータＤ＿Ｋを記憶装置３５に書込む。
【００１９】
図３は、図１に示した情報提供装置の記憶装置に記憶されているデータを説明するための図である。
記憶装置３５は、音データＤ＿Ａ、からくりデータＤ＿Ｋ、同期データＤ＿Ｓ、設定データＤ＿Ｉ等を記憶する。
音データＤ＿Ａは、からくり時計２の発音部を発音させるためのデータである。からくりデータＤ＿Ｋは、からくり時計２のからくり部をからくり動作させるためデータである。設定データＤ＿Ｉは、からくり時計２のからくり部の動作と発音部による発音を同期させるためのデータである。
【００２０】
記憶装置３５は、例えば音用フォルダＦ＿Ａ内に複数の音データＤ＿Ａ１〜ｍを記憶し、からくり用フォルダＦ＿Ｋ内に複数のからくりデータＤ＿Ｋ１〜ｎを記憶する。
【００２１】
同期データＤ＿Ｓは、音データＤ＿ＡとからくりデータＤ＿Ｋとを関連付ける。例えば詳細には、同期データＤ＿Ｓは、設定時刻データ（設定時刻）、曲順、音データＤ＿Ａ、からくりデータＤ＿Ｋとを関連付けて記憶する。
【００２２】
具体的には、例えば図３に示すように、設定時刻１０：１０、１曲目、音データＤ＿Ａ１、およびからくりデータＤ＿Ｋ１を関連付け、設定時刻１３：００、２曲目、音データＤ＿Ａ２、およびからくりデータＤ＿Ｋ２を関連付け、設定時刻１７：３０、３曲目、音データＤ＿Ａ２、およびからくりデータＤ＿Ｋ３を関連付け、…以下省略。
【００２３】
同期データＤ＿Ｓは、通信ネットワーク４を介して、外部の端末装置５から変更可能である。
同期データＤ＿Ｓを変更することで、からくり時計２で演奏される曲の順番を変更することができる。また、音データＤ＿Ａと、からくりデータＤ＿Ｋと関連付けを変更することで、同じ曲でも異なるからくり動作や実打ちを行わせることができる。
【００２４】
また、記憶装置３５は、例えば複数の個人フォルダＦを有する。
個人フォルダＦ内には、例えば上述した複数の音データＤ＿Ａを記憶する音用フォルダＦ＿Ａ、および複数のからくりデータＤ＿Ｋを記憶するからくり用フォルダＦ＿Ｋを有する。個人フォルダＦそれぞれは、例えばからくり時計２−１〜ｎそれぞれに１つ対応して設けられる。
【００２５】
例えば個人フォルダＦそれぞれは、ＩＤとパスワードにより認証が適切に行われた場合にのみアクセス可能である。
からくり時計２や端末装置５が情報提供装置３の個人フォルダＦにアクセスする場合に、ＣＰＵ３６は、所定のＩＤとパスワードにより認証処理を行い、適切に本人確認が行われた場合にのみアクセスを許可する。
【００２６】
ＣＰＵ３６は、通信部３１で通信ネットワーク４を介して、音データＤ＿Ａ、からくりデータＤ＿Ｋ等のデータをダウンロードさせる要求を受信すると、要求元に所望のデータを通信部３１に送信させる。
【００２７】
ＣＰＵ３６は、通信部３１で、端末装置５から送信された音データＤ＿Ａ、からくりデータＤ＿Ｋ、設定データＤ＿Ｉ、同期データＤ＿Ｓのいずれか１つ等が受信すると、記憶装置３５に記憶させる。
【００２８】
ＣＰＵ３６は、通信部３１に、記憶装置３５に記憶した音データＤ＿Ａ、からくりデータＤ＿Ｋ、設定データＤ＿Ｉ、同期データＤ＿Ｓ等を、からくり時計２に通信ネットワーク４を介して送信させる。
【００２９】
ＣＰＵ３６は、からくり時計２から送信されたダウンロード要求が通信部３１で受信された場合には、からくり時計２に記憶装置３５に記憶されている所定のデータ、例えば音データＤ＿Ａ、からくりデータＤ＿Ｋ、設定データＤ＿Ｉ、同期データＤ＿Ｓ等を通信部３１および通信ネットワーク４を介して送信する。
【００３０】
ＣＰＵ３６は、通信部３１で標準時刻情報が要求された場合には、要求元に標準時刻情報を送信する。
ＣＰＵ３６は、所定のタイミング、例えば１日に数回程度、標準時刻情報提供装置６から提供される標準時刻情報に基づいて標準時計３２の時刻情報を修正する。
【００３１】
図４は、図１に示した情報提供装置の動作の一具体例のフローチャートである。
ステップＳＴ１において、ＣＰＵ３６では、通信部３１で、端末装置５から送信された音データＤ＿Ａ、からくりデータＤ＿Ｋ、設定データＤ＿Ｉ、同期データＤ＿Ｓの少なくともいずれか１つ等が受信されると、記憶装置３５に記憶させる（ＳＴ２）。
【００３２】
ＣＰＵ３６では、受信に応じて、記憶装置３５に記憶した音データＤ＿Ａ、からくりデータＤ＿Ｋ、設定データＤ＿Ｉ、同期データＤ＿Ｓを、通信部３１にからくり時計２に通信ネットワーク４を介して送信し（ＳＴ３）、ステップＳＴ４の処理に進む。
【００３３】
一方、ステップＳＴ１において、ＣＰＵ３６では、端末装置５から上述のデータが受信されていないと判別された場合には、ステップＳＴ４の処理に進む。
【００３４】
ステップＳＴ４において、ＣＰＵ３６では、からくり時計２から送信されたダウンロード要求が通信部３１で受信された場合には、要求に応じてからくり時計２に、記憶装置３５に記憶されている所定のデータ、例えば音データＤ＿Ａ、からくりデータＤ＿Ｋ、設定データＤ＿Ｉ、同期データＤ＿Ｓ等を通信部３１および通信ネットワーク４を介してからくり時計２に送信し（ＳＴ５）、ステップＳＴ６の処理に進む。
一方、ステップＳＴ４において、ダウンロード要求が受信されていないと判別された場合には、ステップＳＴ６の処理に進む。
【００３５】
ステップＳＴ６において、ＣＰＵ３６では、通信部３１で標準時刻情報が要求された場合には、要求元に標準時刻情報を送信し（ＳＴ７）、ステップＳＴ１の処理に戻る。
一方、ステップＳＴ６において、標準時刻情報の要求でないと判別された場合には、ステップＳＴ１の処理に戻る。
【００３６】
端末装置
端末装置５は、例えば、通信機能を有するＰＣ（パーソナルコンピュータ）や、ＰＤＡ（Ｐｅｒｓｏｎａｌ　ｄａｔａ　ａｓｓｉｓｔａｎｔ　）や携帯電話等の携帯型情報端末装置である。端末装置５は、図示しないが、通信部、メモリ、入力部、表示部、ＣＰＵ等を有する。
端末装置５は、例えば、からくり時計２で用いられる音データＤ＿ＡやからくりデータＤ＿Ｋを生成して、通信ネットワーク４を介して情報提供装置３にアップロードする。
また、端末装置５は、からくり時計２で用いられる同期データＤ＿Ｓや、設定データＤ＿Ｉを生成して、通信ネットワーク４を介して情報提供装置３にアップロードする。
【００３７】
標準時刻情報提供装置
標準時刻情報提供装置６は、標準時刻情報を提供する。
標準時刻情報提供装置６は、例えば図１に示すように、内部に原子時計６１、通信部６２、およびＮＴＰサーバ６３を有する。
標準時刻情報提供装置６は、例えば要求に応じて原子時計６１で計時される標準時刻情報を通信部６２を介して要求元の情報提供装置３に出力する。
ＮＴＰサーバ６３は、例えば通信ネットワーク４を介してＮＴＰ（Ｎｅｔｗｏｒｋ　ｔｉｍｅ　ｐｒｏｔｏｃｏｌ　）を用いて標準時刻情報を提供する。
【００３８】
からくり時計
図５は、図１に示したからくりシステムのからくり時計の一実施の形態の機能ブロック図である。
本実施の形態に係るからくり時計２は、例えば図５に示すように、通信インターフェイス（Ｉ／Ｆ：Ｉｎｔｅｒｆａｃｅ　）２１、計時部２２、表示部２３、操作部２４、ＲＯＭ（Ｒｅａｄ　ｏｎｌｙ　ｍｅｍｏｒｙ）２５、ＲＡＭ（Ｒａｎｄｏｍ　ａｃｃｅｓｓ　ｍｅｍｏｒｙ）２６、保存メモリ２７、からくり発音部２８、およびＣＰＵ２９を有する。
【００３９】
通信Ｉ／Ｆ２１は、ＣＰＵ２９の制御のもと、通信ネットワーク４を介して情報提供装置３とデータ通信を行う。
通信Ｉ／Ｆ２１は、例えば、有線方式で通信を行ってもよいし、例えば、アンテナａｎｔを介してＰＨＳ（Ｐｅｒｓｏｎａｌ　ｈａｎｄｙｐｈｏｎｅ　ｓｙｓｔｅｍ）や、ＩＥＥＥ８０２．１１ａ　等の無線方式で通信を行ってもよい。
【００４０】
計時部２２は、時刻の計時を行う。計時部２２は計時している時刻情報をＣＰＵ２９に出力する。ＣＰＵ２９は、所定のタイミングで、標準時刻情報に基づいて、計時部２２で計時されている時刻情報を修正する。
【００４１】
表示部２３は、ＣＰＵ２９制御の元、所定の画像を表示する。例えば表示部２３は、ＴＦＴ（Ｔｈｉｎ　ｆｉｌｍ　ｔｒａｎｓｉｓｔｏｒ）液晶ディスプレイ等の液晶ディスプレイや、ブラウン管等の表示装置である。
【００４２】
操作部２４は、例えばユーザにより操作され所定のデータが入力される装置であり、例えば、タッチパネル装置である。
ＲＯＭ２５は、所定の初期パラメータ等が記憶されている。ＲＯＭ２５は電源がオフ状態になっても記録したデータが消えない。
ＲＡＭ２６は、ＣＰＵ２９の制御処理に伴って生成されるデータが格納されるいわゆるワーキングエリアとして用いられる。
保存メモリ２７は、設定データＤ＿Ｉ、同期データＤ＿Ｓ、音データＤ＿Ａ、およびからくりデータＤ＿Ｋ等を有する。
【００４３】
設定データＤ＿Ｉは、上述したように、からくり部２８１の動作と発音部２８２による発音を同期させるためのデータである。
設定データＤ＿Ｉは、例えば不図示のパネルにより変更可能である。また、通信ネットワーク４を介して所定の端末装置５から変更可能である。
【００４４】
例えばからくり部２８１では駆動信号がソレノイドに入力された時からソレノイドが駆動し、例えば棒鈴体を打鈴して実際に発音するまでの所定の遅延時間がある。
【００４５】
このため、ＣＰＵ２９により駆動制御部２８３は、この所定の遅延時間を考慮して、発音部２８２による発音と同期するように、からくりデータＤ＿Ｋに応じた駆動信号を音データＤ＿Ａよりも所定の遅延時間分だけ早くからくり部２８１に出力する。こうすることで、発音部２８２の発音と、からくり部２８１の実音とが同期することができる。
【００４６】
からくり部２８１の遅延時間は、例えば、ＣＰＵ２９により駆動制御部２８３が駆動信号をソレノイドに出力してから、実際に被打鈴体が実打されて発音するまでの時間である。例えばこの遅延時間は約１０ｍｓｅｃである。
【００４７】
このからくり部２８１の遅延時間は、例えばからくり機構やソレノイド等の種類により異なり、また個々のからくり機構やソレノイド等の製造番号ごとに異なる。このため、設定データＤ＿Ｉを個々のからくり時計２それぞれについて、予め発音部２８２による発音と、からくり動作とが同期するように遅延時間を測定して設定データＤ＿Ｉを生成しておき、その設定データＤ＿Ｉを記憶させる。
【００４８】
遅延時間は長い年月と共に変化するために、所定の年月が経過した後には、正確に同期させるように調整を行う必要が生じる。この場合には、設定データＤ＿Ｉを通信ネットワーク４を介して端末装置５から変更することで、容易に同期させるように調整することができる。また、この変更はからくり時計２に直接に行ってもよい。
【００４９】
設定データＤ＿Ｉは、例えば複数のからくり部２８１それぞれについて遅延時間を設定することで、詳細にはからくり部２８１それぞれに対応する、からくりデータＤ＿ＫのＭＩＤＩデータのチャンネルそれぞれについて遅延時間を設定することで、からくり部２８１それぞれの遅延時間を補正することができる。
【００５０】
音データＤ＿Ａは、発音部２８２により発音される曲データである。例えば音データＤ＿Ａは、ＭＰ３（ＭＰＥＧ　Ａｕｄｉｏ　ｌａｙｅｒ　３）の形式により符号化されている。音データＤ＿ＡがＭＰ３の形式で符号化されている場合には、発音部２８２はＭＰ３の規格に基づいて復号化処理を行い発音する。
この音データＤ＿Ａは、この形態に限られるものではない。例えば、所定の音声圧縮フォーマット形式により符号化されていてもよい。
【００５１】
からくりデータＤ＿Ｋは、からくり部２８１がからくり動作を行う際に用いられる。
からくりデータＤ＿Ｋは、例えばからくり部２８１のソレノイド部を制御させるデータである。
【００５２】
からくりデータＤ＿Ｋは、例えばＭＩＤＩ（Ｍｕｓｉｃａｌ　ｉｎｓｔｒｕｍｅｎｔ　ｄｉｇｉｔａｌ　ｉｎｔｅｒｆａｃｅ）規格に準拠したデータである。
ＭＩＤＩデータは、例えば複数のチャンネルを有し、チャンネルそれぞれにソレノイド部が割り当てられている。各チャンネルには、例えば音の強度や、長さ等を設定することができる。
【００５３】
例えば、保存メモリ２７は、複数の音データＤ＿ＡおよびからくりデータＤ＿Ｋを記憶する。
音用フォルダＦ＿Ａは、複数の音データＤ＿Ａを有する。
からくり用フォルダＦ＿Ｋは、複数のからくりデータＤ＿Ｋ（ＭＩＤＩデータＤ＿Ｍ）を記憶する。
【００５４】
同期データＤ＿Ｓは、音データＤ＿Ａと、からくりデータＤ＿Ｋを関連付けるデータである。
音データＤ＿Ａに応じた発音部２８２の発音に同期して、からくり部２８１が異なる動作を行うことができる。
詳細には、同期データＤ＿Ｓは、上述したように音データＤ＿Ａ１と、からくりデータＤ＿Ｋ１を関連付ける。
【００５５】
例えば、端末装置５では、作曲および編集を支援するプログラムを実行して、音データＤ＿ＡおよびからくりデータＤ＿Ｋの作曲および編集を行う。
【００５６】
からくり発音部２８は、ＣＰＵ２９の制御のもと、からくり動作や発音を行う。
からくり発音部２８は、例えば図５に示すように、からくり部２８１、発音部２８２、および駆動制御部２８３とを有する。
【００５７】
からくり部２８１は、からくり機構を有する。からくり部２８１は、駆動制御部２８３から出力された駆動信号によりからくり機構を駆動して、例えば被打鈴体を実打ちして発音する。
【００５８】
発音部２８２は、駆動制御部２８３の信号により発音を行う。例えば発音部２８２は、音データＤ＿Ａに基づいてスピーカを駆動して所望の音楽を発音する。
例えば、発音部２８２は、音データＤ＿ＡがＭＰ３形式で符号化されている場合には、ＭＰ３形式に基づいて復号化処理を行い発音する。
【００５９】
駆動制御部２８３は、ＣＰＵ２９からの制御により、からくり部２８１および発音部２８２を駆動する。
詳細には例えば、駆動制御部２８３は、からくりデータＤ＿Ｋに応じた駆動信号をからくり部２８１に出力し、設定データＤ＿Ｉに応じて所定のタイミングで、音データＤ＿Ａに応じた信号を出力する。
【００６０】
図６は、図５に示したからくり時計のからくり部の一具体例を示す構成図である。
からくり部２８１は、例えば図６に示すように、被打鈴体（棒鈴体）２８１１および打鈴装置２８１２を有する。
棒鈴体２８１１はそれそれ長さの異なる複数の中空パイプ２８１１ａで構成され、基台に略垂直に形成されている。
棒鈴体２８１１は、「ド」音から１オクターブ高い「ド」までの音色をそれぞれ発音可能である。
【００６１】
打鈴装置２８１２は、例えば図６に示すように、一端がフレーム２８１２ａに固定された板バネ２８１２ｂと、板バネ２８１２ｂの自由端近傍に設けられたハンマーヘッド２８１２ｃと、板バネ２８１２ｂをたわませて棒鈴体２８１１を実打ちするソレノイド駆動装置２８１２ｄ（ソレノイド部）とで構成されている。
【００６２】
図７は、図５に示したからくり時計のからくり部と発音部の動作を説明するための図である。
図７（ａ）は、からくり部に入力されるからくりデータＤ＿Ｋに応じた駆動信号のタイミングを示す図である。図７（ｂ）は、からくり部に入力されてから、からくり部が被打鈴体を実打ちして実際に発音するタイミングを示す図である。
図７（ｃ）は、発音部に入力される音データＤ＿Ａのタイミングを示す図である。図７（ｄ）は、発音部から実際に発音されるタイミングを示す図である。
【００６３】
図８は、図１に示したからくり時計のからくり部の動作の一具体例を示すフローチャートである。からくり時計２のからくり発音部２８の動作を図７，８を参照しながら説明する。
【００６４】
からくり部２８１は、図７（ａ），（ｂ）に示すように、からくり部２８１にからくりデータＤ＿Ｋに応じた駆動信号が入力した時間ｔ０から、実際に被打鈴体２８１１を実打ちして発音するまでの時間ｔｓには、遅延時間ｔｓ−ｔ０がある。
【００６５】
ステップＳＴ１１において、ＣＰＵ２９は駆動制御部２８３に、図７（ａ），（ｂ）に示すようにからくり部２８１のからくり動作とをｔｓ−ｔ０の遅延時間を含む設定データＤ＿Ｉに基づいて、からくりデータＤ＿Ｋに応じた駆動信号を音データＤ＿Ａよりも所定の時間ｔｓ−ｔ０早く、からくり部２８１に出力させる。
【００６６】
詳細には、ＣＰＵ２９は、駆動制御部２８３に、からくりデータＤ＿Ｋ内の、メロディの音程、音の強弱、および音の長さに基づいて、所望のパルス幅のソレノイド駆動パルスを所望の音程を発音する棒鈴体２８１１に設置されたソレノイド駆動装置２８１２ｄに供給して駆動させ、板バネ２８１２ｂをたわませて、ハンマーヘッド２８１２ｃを棒鈴体２８１１に衝突させて、所望の音を発音させてメロディを演奏させる（ＳＴ１２）。
【００６７】
ＣＰＵ２９は、例えば駆動制御部２８３に、図７（ｃ），（ｄ）に示すように、時刻ｔ０から遅延時間ｔ０−ｔｓ経過した後（ウェイト）（ＳＴ２１）、時刻ｔｓに発音部２８２に音データＤ＿Ａに応じた信号を出力し（ＳＴ２２）、からくり部２８１のからくり動作、例えば実打ち音と同期した音楽を発音部２８２に発音させる（ＳＴ２３）。
こうすることで発音部２８２の発音とからくり部２８１のからくり動作とが同期する。
【００６８】
ＣＰＵ２９は、ＲＯＭ２５、ＲＡＭ２６、保存メモリ２７に記憶されているデータに基づいて、所定の処理を行う。
詳細には、ＣＰＵ２９は、リセット処理部２９１、時刻同期部２９２、およびフォルダー同期部２９３とを有する。
【００６９】
リセット処理部２９１は、設定時刻の所定の時間前、例えば数分前に全部からくり部２８１の設定（データ）をクリアにする。例えば詳細にはからくり部にリセット要求を送信する。
【００７０】
時刻同期部２９２は、計時部２２との時刻同期を行う。
時刻同期部２９２は、計時部２２と、ＣＰＵ２９内部の計時時刻と同期する。
時刻同期部２９２は、通信ネットワーク４を介して情報提供装置３に標準時刻情報の要求を送信し、情報提供装置３から要求に応じて送信された標準時刻情報が通信Ｉ／Ｆ２１で受信されると計時部２２の時刻情報を修正する。
【００７１】
フォルダー同期部２９３は、同期データＤ＿Ｓに基づいて、音用フォルダＦ＿Ａ内の音データＤ＿Ａと、からくり用フォルダＦ＿Ｋ内のからくりデータＤ＿Ｋを抽出し、からくり部２８１および発音部２８２にセットする。
【００７２】
フォルダー同期部２９３は、所定のタイミングで、通信ネットワーク４を介して、情報提供装置３に記憶されている所定のフォルダと同期を行う。
【００７３】
図９は、図１に示したからくり時計の動作の一具体例のフローチャートである。上述した構成のからくり時計の動作を、ＣＰＵ２９の動作を中心に図９を参照しながら説明する。
【００７４】
ステップＳＴ１０１において、ＣＰＵ２９ではダウンロード要求を行うか否かが判別される。
【００７５】
詳細には、例えばＣＰＵ２９では、同期データＤ＿Ｓに基づいて、音用フォルダＦ＿Ａおよびからくり用フォルダＦ＿Ｋ内に、所望の音データＤ＿ＡおよびからくりデータＤ＿Ｋが含まれていない場合や、リセット処理を行う場合等、所望の理由で保存メモリ２７内に、音データＤ＿ＡやからくりデータＤ＿Ｋをダウンロードを行う必要が生じた場合には、通信Ｉ／Ｆ２１に通信ネットワークを介して情報提供装置３に、所定の音データＤ＿Ａ、からくりデータＤ＿Ｋ、設定データＤ＿Ｉ、同期データＤ＿Ｓ等のダウンロード要求を送信させる（ＳＴ１０２）。
【００７６】
情報提供装置３では、ダウンロード要求を受信すると、記憶装置３５に記憶している音データＤ＿Ａ、からくりデータＤ＿Ｋ、設定データＤ＿Ｉ、同期データＤ＿Ｓ等をからくり時計２に出力する。
【００７７】
ステップＳＴ１０３において、ＣＰＵ２９では、通信Ｉ／Ｆ２１で音データＤ＿Ａ、からくりデータＤ＿Ｋ、設定データＤ＿Ｉ、同期データＤ＿Ｓ等を受信されると、保存メモリ２７に記憶させ（ＳＴ１０４）、ステップＳＴ１０６の処理に進む。
【００７８】
一方、ステップＳＴ１０１において、ダウンロード要求でないと判別されると、音データＤ＿Ａや、からくりデータＤ＿Ｋ等が受信要求があるか否かが判別される（ＳＴ１０５）。受信要求がある場合にはステップＳＴ１０３の処理に進む。一方、受信要求がないと判別された場合にはステップＳＴ１０６の処理に進む。
【００７９】
ステップＳＴ１０６において、ＣＰＵ２９では、例えば同期データＤ＿Ｓの内の設定時刻データに基づいて、設定時刻の所定の時間前になると、リセット処理が行われる（ＳＴ１０７）。
詳細には、例えばＣＰＵ２９において、リセット処理部２９１では、設定時刻の所定の時間前、例えば数分前にからくり部２８１の設定をクリアにする。例えば詳細にはからくり部２８１にリセット要求を送信して、からくり部２８１の設定をクリアにする。
【００８０】
ステップＳＴ１０８において、ＣＰＵ２９では、時刻同期処理が行われる。詳細には、例えば時刻同期部２９２により、計時部２２の計時時刻と例えばＣＰＵ２９内部の時刻を同期する。また、ＣＰＵ２９では、通信Ｉ／Ｆ２１を介して情報提供装置３から標準時刻情報を要求し、情報提供装置３から要求に応じて送信された標準時刻情報に基づいて上述の時刻同期を行ってもよい。
【００８１】
ステップＳＴ１０９において、ＣＰＵ２９では、音データＤ＿ＡとからくりデータＤ＿Ｋが読込みまれる。詳細には、例えばフォルダー同期部２９３により保存メモリ２７に記憶されている同期データＤ＿Ｓに基づいて、音用フォルダＦ＿Ａ内の音データＤ＿Ａと、からくり用フォルダＦ＿Ｋ内のからくりデータＤ＿Ｋとを抽出して、からくり部２８１および発音部２８２にセットする。
【００８２】
ステップＳＴ１１０において、ＣＰＵ２９では、設定時刻になると、からくりデータＤ＿Ｋに基づいてからくり部２８１にからくりデータＤ＿Ｋに応じたからくり動作を行わせ、設定データＤ＿Ｉに基づいてからくり部２８１のからくり動作と発音とが同期するように所定の時間だけ調節して、詳細には遅らせて発音部２８２に発音させ、ステップＳＴ１１１の処理に進む。
【００８３】
一方、ステップＳＴ１０６において、設定時刻の所定の時間前でないと判別された場合には、設定された修正時刻であるか否かが判別される（ＳＴ１１１）。
詳細には、予め設定された修正時刻であるか否かが判別され、修正時刻である場合には、通信ネットワーク４を介して情報提供装置３に標準時刻情報の要求を送信し、情報提供装置３から要求に応じて送信された標準時刻情報に応じて、計時部２２の時刻情報を修正しステップＳＴ１０１の処理に戻る。
一方、ステップＳＴ１１１において、修正時刻でないと判別された場合にも、ステップＳＴ１の処理に戻る。
【００８４】
以上説明した構成のからくりシステム１の動作を簡単に説明する。
端末装置５では、ユーザの操作により、からくり時計２に発音を行わせるための音データＤ＿Ａと、からくり動作を行わせるためのからくりデータＤ＿Ｋが生成される。また、所定の時刻に所定の曲順でからくり時計２に演奏させるための設定時刻データを含む同期データＤ＿Ｓを生成してもよい。また、設定データＤ＿Ｉを生成してもよい。
【００８５】
端末装置５は、生成した音データＤ＿Ａ、からくりデータＤ＿Ｋ、設定データＤ＿Ｉ、同期データＤ＿Ｓ等を通信ネットワーク４を介して情報提供装置３に送信する。
また、端末装置５は、直接にからくり時計２に上述した音データＤ＿Ａ、からくりデータＤ＿Ｋ、設定データＤ＿Ｉ、同期データＤ＿Ｓ等を送信してもよい。
【００８６】
情報提供装置３は、通信ネットワーク４を介して、音データＤ＿Ａ、からくりデータＤ＿Ｋ、設定データＤ＿Ｉ、同期データＤ＿Ｓ等が受信された場合には、記憶装置３５の所定のフォルダＦに記憶させる。
【００８７】
情報提供装置３は、記憶装置３５に記憶した音データＤ＿Ａ、からくりデータＤ＿Ｋ、設定データＤ＿Ｉ、同期データＤ＿Ｓ等を、通信ネットワーク４を介して、からくり時計２に送信する。
からくり時計２では、上述の情報提供装置３から送信された音データＤ＿Ａ、からくりデータＤ＿Ｋ、設定データＤ＿Ｉ、同期データＤ＿Ｓ等を受信して、保存メモリ２７に記憶する。
からくり時計２では、設定時刻の所定の時間前になると、上述したようにリセット処理を行い、時刻同期を行い、フォルダ同期を行い、からくり部２８１に所定のからくり動作、および発音部２８２に所定の発音を同期して行わせる。
【００８８】
上述したように、からくり時計２には、情報提供装置３と通信を行う通信Ｉ／Ｆ２１と、からくりデータに基づいてからくり動作を行うからくり部２８１と、音データに基づいて発音する発音部２８２と、変更可能な、からくり部２８１のからくり動作と発音部２８２の発音を同期させる設定データＤ＿Ｉと、音データＤ＿Ａ、からくりデータＤ＿Ｋ、および音データＤ＿ＡとからくりデータＤ＿Ｋとを関連付ける同期データＤ＿Ｓを記憶し、少なくとも設定データＤ＿Ｉを書き換え可能な保存メモリ２７と、通信Ｉ／Ｆ２１を介して情報提供装置３から音データＤ＿Ａ、からくりデータＤ＿Ｋ、および同期データＤ＿Ｓの少なくとも１つを受信して保存メモリ２７に記憶させ、設定時刻になると同期データＤ＿Ｓに基づいてからくり部２８１にからくりデータＤ＿Ｋに応じたからくり動作を行わせ、設定データＤ＿Ｉに基づいてからくり部２８１のからくり動作と同期するように調節して発音部２８２に、同期データＤ＿Ｓに基づいてからくりデータＤ＿Ｋに対応する音データＤ＿Ａに応じて発音させるＣＰＵ２９とを設ける。
【００８９】
情報提供装置３には、音データＤ＿Ａ、からくりデータＤ＿Ｋ、同期データＤ＿Ｓを記憶する記憶装置３５と、からくり時計２および端末装置５と通信を行う通信部３１と、要求に応じて記憶装置３５に記憶している音データＤ＿Ａ、からくりデータＤ＿Ｋ、および同期データＤ＿Ｓを通信部３１を介してからくり時計２に送信するＣＰＵ２９とを設ける。
【００９０】
そして、端末装置５は、音データＤ＿Ａ、からくりデータＤ＿Ｋ、および同期データＤ＿Ｓの少なくとも何れか１つを生成し、情報提供装置３に出力する。
情報提供装置３は、上述のデータを受信すると、記憶装置３５に記憶し、からくり時計２に出力する。
からくり時計２では、それらのデータを受信すると保存メモリ２７に記憶して、それらのデータに応じてからくり部２８１に所定のからくり動作を行い、同期して発音部２８２に所定の発音を行う。
このように、容易に演奏する曲を変更可能なからくり時計、およびからくりシステムを提供することができる。
【００９１】
上述したように、からくり部２８１のからくり動作と発音部２８２の発音とを同期させる設定データＤ＿Ｉを記憶し、設定データＤ＿Ｉに基づいて、からくりデータＤ＿Ｋに応じてからくり動作を行わせ、所定の時間の後、同期するように発音部２８２に発音させているので、煩雑な設定を行うことなく、からくり時計に簡単に新たな曲を演奏させることができる。
【００９２】
ユーザは、例えば端末装置５で、自由にからくり時計２の音データＤ＿ＡおよびからくりデータＤ＿Ｋを生成することができる。
また、通信ネットワーク４を介して、同期データＤ＿Ｓを設定することができるので、所望の時間に所望の曲を、所望の曲順でからくり時計２に演奏を行わせることができる。
【００９３】
からくり時計２は、所望のタイミングで情報提供装置３から標準時刻情報を受信して、計時部２２の時刻情報を修正しているので、正確な時刻に所定のからくり動作および発音を行うことができる。また、複数のからくり時計２で同期した演奏を行うことができる。
【００９４】
また、情報提供装置３に、予め例えば最新の流行の曲や定番の曲や所望のジャンルの曲の音データＤ＿ＡおよびからくりデータＤ＿Ｋを記憶しておき、要求に応じてからくり時計２に送信して、からくり時計２で演奏することで、ユーザの嗜好にあった曲を常に演奏することができる。
【００９５】
第２の実施の形態
図１０は、本発明に係るからくり時計の第２の実施の形態の機能ブロック図である。
本実施の形態に係るからくり時計２ａは、電源制御部ＣＴＶ、通信部２１ａ、スケジュール管理部２２ａ、映像再生部２３ａ、音声・動画デコーダ２３４、操作部２４、各カードスロットＳＬ、ＡＣアダプタＡｄ、電源ＥＭＩフィルターＦＬ、ＳＷ電源ＶＳＷ、保存メモリ２７、ＦＰＧＡ（Ｆｉｅｌｄ　ｐｒｏｇｒａｍｍａｂｌｅ　ｇａｔｅ　ａｒｒａｙ　）２７１、からくり発音部２８、ＣＰＵ２９、およびコネクターｃｎ１，２を有する。
【００９６】
通信部２１ａは通信Ｉ／Ｆ２１に相当し、スケジュール管理部２２ａは、計時部２２に相当し、映像再生部２３ａは表示部２３に相当する。
【００９７】
例えば、基板ｋ１には、電源制御部ＣＶＴ、通信部２１ａ、スケジュール管理部２２ａ、映像再生部２３ａ、音声・動画デコーダ２３４、保存メモリ２７、ＦＰＧＡ２７１、およびＣＰＵ２９を設ける。
【００９８】
ＳＷ電源ＶＳＷは、例えば電源ＥＭＩフィルターＦＬを介して入力された交流電源を所定の電圧に変換して、からくり発音部２８のＣＰＵ（メイン基板）およびアンプ２８２１に供給する。
ＡＣアダプタＡｄは、例えば交流電源を直流電源に変換し電源制御部ＣＴＶに出力する。
電源制御部ＣＴＶは、ＡＣアダプタＡｄからの直流電源をＣＰＵ２９および各デバイスへ供給する。
【００９９】
通信部２１は、通信ネットワーク４を介して通信を行い、ＣＰＵ２９制御のもと、所定のデータを保存メモリ２７に記憶させる。
通信部２１は、例えばＤＡＣ（デジタル−アナログ変換）２１１、コネクターｃｎ１、アナログＩ／Ｏ２１２を有する。
【０１００】
ＤＡＣ２１１は、デジタルアナログ変換を行う。情報提供装置３から出力された所定のデータが、通信ネットワークを４介してＤＡＣ２１１に入力され、コネクターｃｎ１を介して、アナログＩ／Ｏ２１２に入力される。
アナログＩ／Ｏ２１２は、ＤＡＣ２１１を介して、保存メモリ２７に入力される。
アナログＩ／Ｏ２１２は、操作部２４からコネクターｃｎ２を介して出力された信号を、保存メモリ２７に出力する。
【０１０１】
スケジュール管理部２２ａは、各種処理のスケジュールの管理を行う。
スケジュール管理部２２ａは、例えば、２次電源ｂｔ、時計マイコン２２１、およびプログラムタイマー２２２を有する。
【０１０２】
２次電源ｂｔは、バックアップ用の電源であり充電可能である。２次電源ｂｔは、時計マイコン２２１およびプログラムタイマー２２２にバックアップ用の電源を供給する。
時計マイコン２２１は、時刻を計時し、プログラムタイマー２２２およびＶＲＡＭ２３１に所定の時刻を供給する。
プログラムタイマー２２２はＣＰＵ２９により管理され、ＣＰＵ２９に時刻情報を供給する。
【０１０３】
映像再生部２３ａは、例えば、ＶＲＡＭ２３１、グラフィックコントローラ２３２、およびＬＣＤ表示部２３３を有する。
ＶＲＡＭ２３１は、ＣＰＵ２９の制御のもと、時計マイコン２２１から出力された時刻情報に同期して、音声・動画デコーダ２３４から出力された画像信号に応じた信号をＬＣＤ表示部２３３に出力する。
グラフィックコントローラ２３２は、ＣＰＵ２９制御のもと、ＬＣＤ表示部２３３の表示を制御する。
ＬＣＤ表示部２３３は、グラフィックコントローラ２３２の制御のもと、ＶＲＡＭ２３１から出力された信号に応じた画像を表示する。
【０１０４】
音声・動画デコーダ２３４は、ＣＰＵ２９の制御のもと、保存メモリ２７に記憶されているデータに応じた画像を生成し、ＶＲＡＭ２３１に出力する。
【０１０５】
操作部２４は、例えばユーザが所定のデータを入力する装置である。例えば、（ＴＦＴ）操作部２４は、タッチパネル装置である。
操作部２４は、ＣＰＵ２９制御のもと、例えば押圧された位置情報をＣＰＵ２９に出力する。
操作部２４は、ＣＰＵ２９制御のもと、コネクターｃｎ２およびアナログＩ／Ｏ２１２を介して、所定のデータを保存メモリ２７に出力する。
【０１０６】
からくり発音部２８は、からくり部２８１、発音部２８２、ＣＰＵ（メイン基板）２８３、時計（ＲＩＡＣ）２８４、時刻設定部２８５を有する。
からくり部２８１は、例えば図１０に示すように、ＡＣモータ２８１０１、人形＋ソレノイド２８１０２、人形＋ソレノイド２８１０３等を有する。
【０１０７】
ＡＣモータ２８１０１は、ＣＰＵ２９の制御のもと、不図示の所定のからくり機構を動作させる。
人形＋ソレノイド２８１０２，２８１０３は、ＣＰＵ２９の制御のもと、例えば不図示のソレノイドを駆動してからくり人形を駆動させて、具体的には例えば被打鈴体を打鈴して、実音を発音させる。
【０１０８】
発音部２８２は、例えばアンプ２８２１、スピーカ（Ｌ）２８２２、スピーカ（Ｒ）２８２３を有する。
アンプ（基板）２８２１は、ＭＩＤＩレコーダを含む。ＭＩＤＩレコーダは、例えばからくりデータＤ＿Ｋや音データＤ＿ＡがＭＩＤＩ形式で記憶されている場合には所定のデコード処理を行う。
アンプ２８２１は、ＣＰＵ２８３からの音データＤ＿Ａに応じてスピーカ（Ｌ）２８２２およびスピーカ（Ｒ）２８２３から所定の音を出力する。
【０１０９】
ＣＰＵ２８３は、メモリから所定のデータを読み出し、ＡＣモータ２８１０１、人形＋ソレノイド２８１０２、人形＋ソレノイド２８１０３、時計（ＲＩＡＣ）２８４、時刻設定部２８５を駆動する。
ＣＰＵ２８３は、音データＤ＿Ａに基づいてアンプ２８２１に音声データを出力する。
【０１１０】
時計（ＲＩＡＣ）２８４は、ＣＰＵ２８３の制御のもと、時刻を計時する。
時刻設定部（ＬＥＤ基板）２８５は、ＣＰＵ２８３の制御のもと、時刻表示を行う。時刻設定部２８５は例えば操作部２４からの入力に応じて時刻設定を行う。
【０１１１】
保存メモリ２７は、上述したように、ＣＰＵ２９制御のもと、例えば、Ｃ／Ｆ（コンパクトフラッシュ（登録商標）のメディア）やＰＨＳを利用した機能を有するカードから、各カードスロットＳＬを介して所望のデータが入出力される。
【０１１２】
ＦＰＧＡ２７１は、例えば外部から所定のデータを入力するためのＩＣカード等のデータに基づいて、内部の回路を変更して所定の演算処理を行う。
ＦＰＧＡ２７１は、所定の処理結果を、保存メモリ２７に出力する。
【０１１３】
上述した構成のからくり時計２ａの動作を簡単に説明する。
【０１１４】
情報提供装置３から音データＤ＿Ａ、からくりデータＤ＿Ｋ、同期データＤ＿Ｓ、設定データＤ＿Ｉ等が通信ネットワーク４を介して送信される。
それらのデータが通信ネットワーク４を介してＤＡＣ２１１に入力され、アナログ信号に変換され、コネクターｃｎ１およびアナログＩ／Ｏ２１２を介して、保存メモリ２７に記憶される。
【０１１５】
ＣＰＵ２９では、例えば同期データＤ＿Ｓの内の設定時刻データに基づいて、時計マイコン２２１およびプログラムタイマー２２２で所定の時刻になると、設定時刻の所定の時間前になると、リセット処理が行われる。
【０１１６】
詳細には、例えばＣＰＵ２９において、リセット処理部２９１では、設定時刻の所定の時間前、例えば数分前にからくり発音部２８の設定をクリアにする。からくり発音部２８のＣＰＵ２８３では、リセット要求を受信すると、所定の設定をクリアする。
【０１１７】
ＣＰＵ２９およびＣＰＵ２８３では、時刻同期処理が行われる。詳細には、例えば時刻同期部２９２により、計時部２２ａの計時時刻と、からくり発音部２８の時計（ＲＩＡＣ）２８４の時刻情報を同期する。
【０１１８】
ＣＰＵ２９およびＣＰＵ２８３では、音データＤ＿ＡとからくりデータＤ＿Ｋが読込まれる。
詳細には、例えばフォルダー同期部２９３により、保存メモリ２７に記憶されている同期データＤ＿Ｓに基づいて、音用フォルダＦ＿Ａ内の音データＤ＿Ａと、からくり用フォルダＦ＿Ｋ内のからくりデータＤ＿Ｋとを抽出して、からくり発音部２８に出力する。
からくり発音部２８のＣＰＵ２８３では、音データＤ＿ＡとからくりデータＤ＿Ｋとが記憶される。
【０１１９】
ＣＰＵ２９およびＣＰＵ２８３では、設定時刻になると、からくりデータＤ＿Ｋに基づいてからくり部２８１のＡＣモータ２８１０１、人形＋ソレノイド２８１０２，２８１０３にからくりデータＤ＿Ｋに応じたからくり動作を行わせ、設定データＤ＿Ｉに基づいて、からくり動作と発音とが同期するように所定の時間だけ遅らせて音データＤ＿Ａに応じて発音部２８２のアンプ２８２１にスピーカ（Ｌ）２８２２およびスピーカ（Ｒ）２８２３を発音させる。
【０１２０】
以上説明したように、本実施の形態のからくりシステムでは、からくり部２８１に、からくり人形＋ソレノイド２８１０１，２を設けたので、より複雑なからくり機構の楽器を演奏することができる。
【０１２１】
本実施の形態では、基板ｋ１と、からくり発音部２８とを分けて設けているので、基板ｋ１を変更することなく、例えばからくり発音部２８のからくり機構を変更することができる。
【０１２２】
なお、本発明は本実施の形態に限られるものではなく、任意好適な種々の改変が可能である。
例えばからくり時計２に、図１に示すようにリモコンｒの操作に応じて同期データを設定できるように入出力装置を設けることで、簡単に選曲や設定時刻を設定することができる。
【０１２３】
からくり部２８１は、上述した実施の形態に限られるものではない。例えば純正律に基づいた楽器を演奏するようなからくり機構を設けてもよい。そして、発音部２８２に純正律による発音を行わせることで、和音の美しい音楽を演奏することができる。
【０１２４】
【発明の効果】
本発明によれば、容易に演奏する曲を変更可能なからくり時計、およびからくりシステムを提供することができる。
【図面の簡単な説明】
【図１】本発明に係るからくりシステムの第１の実施の形態の全体図である。
【図２】図１に示したからくりシステムの情報提供装置の機能ブロック図である。
【図３】図１に示した情報提供装置の記憶装置に記憶されているデータを説明するための図である。
【図４】図１に示した情報提供装置の動作の一具体例のフローチャートである。
【図５】図１に示したからくりシステムのからくり時計の一実施の形態の機能ブロック図である。
【図６】図１に示したからくり時計の保存メモリに記憶されているデータを説明するための図である。
【図７】図５に示したからくり時計のからくり部と発音部の動作を説明するための図である。
【図８】図１に示したからくり時計のからくり部の動作の一具体例を示すフローチャートである。
【図９】図１に示したからくり時計の動作の一具体例のフローチャートである。
【図１０】本発明に係るからくり時計の第２の実施の形態の機能ブロック図である。
【符号の説明】
１…からくりシステム、２…からくり時計、３…情報提供装置、４…通信ネットワーク、５…端末装置、６…標準時刻情報提供装置、２１…通信インターフェイス（通信Ｉ／Ｆ）、２２…計時部、２２ａ…スケジュール管理部、２３…表示部、２３ａ…映像再生部、２４…操作部、２５…ＲＯＭ、２６…ＲＡＭ、２７…保存メモリ、２８…からくり発音部、２９…ＣＰＵ、３１…通信部、３２…標準時計、３３…入出力部、３４…メモリ、３５…記憶装置、３６…ＣＰＵ、６１…原子時計、６２…通信部、６３…ＮＴＰサーバ、２２１…時計マイコン、２２２…プログラムタイマー、２３２…グラフィックコントローラ、２３３…表示部、２３４…音声・動画デコーダ、２８１…からくり部、２８２…発音部、２８３…駆動制御部、２８４…時計（ＲＩＡＣ）、２８５…時刻設定部、２９１…リセット処理部、２９２…時刻同期部、２９３…フォルダー同期部、２８１１…被打鈴体（棒鈴体）、２８１１ａ…中空パイプ、２８１２ｂ…板バネ、２８１２ｃ…ハンマーヘッド、２８１２ｄ…ソレノイド駆動装置、２８１２…打鈴装置、２８２１…アンプ、２８１０１…モータ、２８１０２，２８１０３…ソレノイド。
【図１】
2004125488.tif 000003
【図２】
2004125488.tif 000004
【図３】
2004125488.tif 000005
【図４】
2004125488.tif 000006
【図５】
2004125488.tif 000007
【図６】
2004125488.tif 000008
【図７】
2004125488.tif 000009
【図８】
2004125488.tif 000010
【図９】
2004125488.tif 000011
【図１０】
2004125488.tif 000012